(57)【特許請求の範囲】
【請求項１】
遮蔽材（２０、７８）の昇降に伴って回転する第１部材（３０）の回転を、遮蔽材が所望の昇降高さに位置したときに規制すると共にその昇降高さ位置を調整することが可能なブラインドの昇降高さ決定装置（２８）において、
第１部材と同軸に配設され、第１部材と相対回転可能な第２部材（３２）と、第１部材及び第２部材の相対回転により、第１部材及び第２部材の軸方向に移動可能なスライダー（３４）と、第２部材を回転操作可能な操作部（５０）と、第２部材と係合するように付勢されたストッパ（５４）を有し、ストッパを第２部材と係合する位置に固定して第２部材の回転を規制する第１係合位置と、ストッパの固定を解除することにより第２部材との係合を解除可能にして第２部材を回転駆動可能な状態にする第２係合位置との間で切替移動操作可能な切替部材（５２）と、を備え、
第２部材とストッパとはラチェット式に係合しており、切替部材が第２係合位置に移動された状態においては、操作部の一方向のみの回転が許容され、操作部の他方向への回転は第２部材とストッパとが係合されて規制されることを特徴とするブラインドの昇降高さ決定装置。
【請求項２】
切替部材は、更に、ストッパを操作する切替操作部（５６）とを備え、切替操作部が第１係合位置に保持されることにより第２部材とストッパとが係合して第２部材の回転が規制され、切替操作部が第２係合位置に保持されることによって、第２部材とストッパとの係合が解除可能となり第２部材の回転が許容されることを特徴とする請求項１記載のブラインドの昇降高さ決定装置。
【請求項３】
切替操作部は、ストッパを第２部材から完全に離間した状態とする完全開放位置への切替操作が可能とされることを特徴とする請求項２記載のブラインドの昇降高さ決定装置。
【請求項４】
切替操作部は、ストッパを第１係合位置と第２係合位置との間で移動させる第１切替操作部（５８）と、ストッパを完全開放位置へと移動させる第２切替操作部（６０）とからなることを特徴とする請求項３記載のブラインドの昇降高さ決定装置。
【請求項５】
第１部材は、遮蔽材を昇降可能な昇降コード（１８）を巻取り及び巻解き可能に駆動する回転軸（１４）と一体回転可能に設けられることを特徴とする請求項１ないし４のいずれか１項に記載のブラインドの昇降高さ決定装置。
【請求項６】
第１部材は、遮蔽材の一端が巻取り及び巻解き可能に連結される巻取パイプ（７６）と一体回転可能に設けられることを特徴とする請求項１ないし４のいずれか１項に記載のブラインドの昇降高さ決定装置。
【請求項７】
遮蔽材（２０、７８）の昇降に伴って回転する第１部材（３０）の回転を、遮蔽材が所望の昇降高さに位置したときに規制すると共にその昇降高さ位置を調整することが可能なブラインドの昇降高さ決定装置（２８）において、
第１部材と同軸に配設され、第１部材と相対回転可能な第２部材（３２）と、第１部材及び第２部材の相対回転により、第１部材及び第２部材の軸方向に移動可能なスライダー（３４）と、第２部材を回転操作可能な操作部（５０）と、第２部材と係合するように付勢されたストッパ（５４）とストッパを操作する切替操作部（５６）とを有し、ストッパを第２部材と係合する位置に固定して第２部材の回転を規制するように切替操作部が保持される第１係合位置と、ストッパの固定を解除することにより第２部材との係合を解除可能にして第２部材を回転駆動可能な状態にするように切替操作部が保持される第２係合位置との間で切替移動操作可能な切替部材（５２）と、を備え、
切替操作部は、ストッパを第１係合位置と第２係合位置との間で移動させる第１切替操作部（５８）と、ストッパを第２部材から完全に離間した状態とする完全開放位置へと移動させる第２切替操作部（６０）とからなることを特徴とするブラインドの昇降高さ決定装置。
【発明の詳細な説明】
【技術分野】
【０００１】
本発明は、遮蔽材が所望の昇降高さに位置したときに遮蔽材の昇降を規制することができ、この昇降高さ位置を調整することができるブラインドの昇降高さ決定装置に関する。
【背景技術】
【０００２】
かかる従来のブラインドの昇降高さ決定装置としては、特許文献１及び特許文献２に記載されるものが知られている。
【０００３】
特許文献１に示されるものは、巻取ドラムを回転駆動する回転軸と同軸に設けられ回転軸と一体回転可能な回転筒と、回転筒内に同軸に配設され、回転軸を係合することなく相対回転自在に軸方向に挿通させる駆動筒と、回転筒と駆動筒との間に配設され、回転筒又は駆動筒の回転によりこれらの軸方向に移動可能なスライダーと、駆動筒の一端部に一体に回転するように設けられ、ヘッドボックスに形成された開口部から操作可能なウォームギアと、を備えてなり、ヘッドボックスの開口部からウォームギアを操作することにより、回転軸を回転させることなく駆動筒を回転操作して、スライダーを回転筒及び駆動筒の軸方向に移動させて、回転筒及び駆動筒上でのスライダーの位置を調整することにより、ブラインドの昇降高さ位置を調整するものである。
【０００４】
また、特許文献２に示されるものは、ロールブラインドのロールパイプを回動自在に支持する固定軸と、固定軸の軸方向に一体に設けられるボルトと、ボルトにナットとして取り付けられロールパイプと共に回転してボルト上を移動する移動こまと、固定軸と一体回転するセクターと、セクターに内装されると共にセクターと一体に回転可能な制動コイルばねと、制動コイルばねが弛緩締着可能であると共にブラケットに固定された制動ドラムと、セクターの外周に回転自在に外装され、回転することにより制動コイルばねを弛緩させる方向に作用するダイヤルと、を備え、ダイヤルをいずれかの方向に回すと、制動コイルばねが弛緩してセクターと一体回転可能となって、固定軸およびボルトが回転可能となり、逆に、固定軸を回してダイヤルを回そうとすると、制動コイルばねが制動ドラムに締結してダイヤルの回転が拘束されるものであり、スクリーンの巻上げ高さの調整は、ダイヤルを回し、固定軸と一体にボルトを回転させることにより、ボルト上での移動こまの位置が変更されることにより、行われる。
【先行技術文献】
【特許文献】
【０００５】
【特許文献１】特開２０１０−２６１１９４号公報
【特許文献２】特公平５−３８８３９号公報
【発明の概要】
【発明が解決しようとする課題】
【０００６】
しかしながら、特許文献１に示されるものでは、ヘッドボックスの外部から駆動軸を回転させるための手段としてウォームギアを用いているが、ウォームギアによる操作はスライダーの移動量を微調整しやすい半面、操作量に対するスライダーの移動量が小さいため、多くの操作量を必要とするという問題がある。
【０００７】
また、特許文献２に示されるものでは、ダイヤルの回転をボルトに伝達するためには、制動コイルばねを弛緩させる必要があり、制動コイルばねの反発力が作用するためにその分ダイヤルの操作荷重が重くなるという問題がある。
【０００８】
本発明はかかる課題に鑑みなされたもので、操作量に対するスライダーの移動量を大きくすると共に、操作荷重が軽いブラインドの昇降高さ決定装置を提供することをその目的とする。
【課題を解決するための手段】
【０００９】
前述した目的を達成するために、本発明は、遮蔽材の昇降に伴って回転する第１部材の回転を、遮蔽材が所望の昇降高さに位置したときに規制すると共にその昇降高さ位置を調整することが可能なブラインドの昇降高さ決定装置において、
第１部材と同軸に配設され、第１部材と相対回転可能な第２部材と、第１部材及び第２部材の相対回転により、第１部材及び第２部材の軸方向に移動可能なスライダーと、第２部材を回転操作可能な操作部と、第２部材と係合して第２部材の回転を規制する第１係合位置と、第２部材との係合を解除可能で第２部材を回転駆動可能な状態にする第２係合位置との間で切替移動操作可能な切替部材と、を備えることを特徴とする。
【００１０】
また、切替部材は、第２部材と係合するストッパと、ストッパを操作する切替操作部とを備え、切替操作部が第１係合位置に保持されることにより第２部材とストッパとが係合して第２部材の回転が規制され、切替操作部が第２係合位置に保持されることによって、第２部材とストッパとの係合が解除可能となり第２部材の回転が許容されることを特徴とする。
【００１１】
また、第２部材とストッパとはラチェット式に係合しており、切替操作部が第２係合位置に保持された状態においては、操作部の一方向のみの回転が許容され、操作部の他方向への回転は第２部材とストッパとが係合して規制されることを特徴とする。
【００１２】
また、本発明は、ブラインドの昇降高さ決定装置において、切替操作部は、ストッパを第２部材から完全に離間した状態とする完全開放位置への切替操作が可能とされることを特徴とする。
【００１３】
また、本発明は、ブラインドの昇降高さ決定装置において、切替操作部は、ストッパを第１係合位置と第２係合位置との間で移動させる第１切替操作部と、ストッパを完全開放位置へと移動させる第２切替操作部とからなることを特徴とする。
【００１４】
また、本発明は、ブラインドの昇降高さ決定装置において、第１部材は、遮蔽材を昇降可能な昇降コードを巻取り及び巻解き可能に駆動する回転軸と一体回転可能に設けられることを特徴とする。
【００１５】
また、本発明は、ブラインドの昇降高さ決定装置において、第１部材は、遮蔽材の一端が巻取り及び巻解き可能に連結される巻取パイプと一体回転可能に設けられることを特徴とする。
【発明の効果】
【００１６】
本発明によれば、第２部材を操作部によって直接操作することによって、操作量に対する第２部材の回転量を大きくできるため、操作量に対するスライダーの移動量が大きく、ブラインドの昇降高さ位置の調整を迅速に行うことができる。
【００１７】
また、切替部材が、第２部材の回転を規制する第１係合位置と、第２部材との係合を解除可能で第２部材を回転駆動可能な状態とする第２係合位置との間で切替操作可能となっており、切替部材が第２係合位置に切り替わることで、第２部材との係合を解除することができるため、軽い操作荷重で操作部を操作することができる。
【図面の簡単な説明】
【００１８】
【図１】本発明に係るブラインドの昇降高さ決定装置が適用されるブラインドの正面図である。
【図２】切替部材を除く昇降高さ決定装置の分解斜視図である。
【図３】本発明の実施形態に係る昇降高さ決定装置の平面図である。
【図４】ブラインドが昇降途中である場合の昇降高さ決定装置の状態を表す半断面図である。
【図５】ブラインドが設定位置に停止している場合の昇降高さ決定装置の状態を表す半断面図である。
【図６】切替部材が係合位置の状態を表し、（ａ）は図３のａ−ａ断面図、（ｂ）は図６（ａ）のｂ−ｂ断面図、（ｃ）は図６（ａ）のｃ−ｃ断面図である。
【図７】切替部材が非係合位置の状態を表し、（ａ）は図３のａ−ａ断面図、（ｂ）は図７（ａ）のｂ−ｂ断面図、（ｃ）は図７（ａ）のｃ−ｃ断面図である。
【図８】操作部を操作しているときの状態を表し、（ａ）は図３のａ−ａ断面図、（ｂ）は図８（ａ）のｂ−ｂ断面図、（ｃ）は図８（ａ）のｃ−ｃ断面図である。
【図９】切替部材が完全開放位置の状態を表し、（ａ）は図３のａ−ａ断面図、（ｂ）は図９（ａ）のｂ−ｂ断面図、（ｃ）は図９（ａ）のｃ−ｃ断面図である。
【図１０】本発明に係るブラインドの昇降高さ決定装置が適用されるロールスクリーンの正面図である。
【図１１】（ａ）は切替部材が係合位置にある状態の係合歯および切替部材の部分の断面図であり、（ｂ）は切替部材が非係合位置にある状態の係合歯および切替部材の部分の断面図であり、（ｃ）は操作部を操作しているときの状態の係合歯および切替部材の部分の断面図であり、（ｄ）は切替部材が完全開放位置にある状態の係合歯および切替部材の部分の断面図である。
【発明を実施するための形態】
【００１９】
（第１の実施形態）
以下、図面を用いて本発明の実施形態を説明する。
【００２０】
図１に示すように、本発明に係るブラインドの昇降高さ決定装置が適用されるブラインドは、ヘッドボックスから垂下される遮蔽材を昇降可能にする任意のブラインドに適用することができ、図示したものは、プリーツスクリーンに適用した例を表している。しかしながら、これに限るものではなく、ラダーコードを介してヘッドボックスから垂下される多数のスラットを遮蔽材とする横型ブラインドや後述するロールスクリーンといった任意の種類のブラインドに適用することができる。
【００２１】
ブラインド１０は、壁面または天井面にブラケット１１を介して取り付けられるヘッドボックス１２を有しており、ヘッドボックス１２内には、回転軸１４が回転可能に配設されている。回転軸１４には、これの回転を減速させるブレーキ１５が設けられている。尚、回転軸１４は長尺物からなるが、必ずしも１つの部材からでなく、互いに連結された複数の部材から構成することも可能である。回転軸１４の外周面は六角形といった多角形となっている。
【００２２】
回転軸１４は、同じくヘッドボックス１２内に配設されている巻取ドラム１６に対して相対回転不能に挿通されており、巻取ドラム１６には、昇降コード１８の上端が巻取り及び巻解き可能に連結されている。昇降コード１８の下端は、上端がヘッドボックス１２に連結されてヘッドボックス１２から垂下している遮蔽材としての襞つきのスクリーン２０の各襞を挿通し、スクリーン２０の最下端に配置されるボトムレール２２に連結される。回転軸１４は、ヘッドボックス１２の一端に設けられるコントロールユニット２４から垂下する操作コード２６によって操作され、回転規制装置２７によって回転駆動が可能な状態と回転が規制される状態とに切り換えられる。但し、回転軸１４の回転駆動は、電動式とすることもでき、電動モータの出力軸に回転軸１４を連結することも可能である。
【００２３】
本発明による昇降高さ決定装置２８は、ヘッドボックス１２内に配設されて、スクリーン２０が所望の昇降高さに位置したときに回転軸１４の回転駆動を規制することにより巻取ドラム１６の回転駆動を規制して、結果としてスクリーン２０を所望の昇降高さにするものである。
【００２４】
具体的には昇降高さ決定装置２８は、図２及び図３に示すように、回転軸１４と同軸に設けられる回転筒（第１部材）３０、回転筒３０内に同軸に配設される駆動筒（第２部材）３２、回転筒３０と駆動筒３２との間に配設されるスライダー３４、及びこれらを収納してヘッドボックス１２内に固定されるケース３８を備えている。
【００２５】
回転筒３０はその一端３０ａがケース３８の一側端部から突出し、ケース３８に回転自在に且つ軸方向に移動不能に支持されている。図４に示すように、回転筒３０内には、その軸方向に回転軸１４が挿通しており、回転筒３０の一端３０ａが回転軸１４と係合することで、回転筒３０は回転軸１４と一体化し、回転軸１４と一体回転するようになっている。回転筒３０の内周面には、周方向に離間した２箇所の位置において、複数の案内部３０ｂが、軸方向ほぼ全長にわたってそれぞれ突設されている。
【００２６】
駆動筒３２は回転筒３０内に同軸に配設されており、駆動筒３２内には回転軸１４が係合することなく相対回転自在に軸方向に挿通している。駆動筒３２の外周には雄ネジ３２ａが形成されており、更に外周の一端部寄りには係合歯３２ｂが形成されている。係合歯３２ｂと雄ネジ３２ａとの境界の段部には、雄ネジ３２ａ側に向かって突出する突部３２ｃが形成される。駆動筒３２は、その係合歯３２ｂ側の一端部がケース３８の他側端部に回転自在に支持され、他端部が回転筒３０に回転自在に支持されて、ケース３８内で軸方向に移動不能に軸支されている。また、駆動筒３２の一端部には、駆動筒３２と一体に回転するように操作ダイヤル５０が取り付けられており、操作ダイヤル５０の外周は、ケース３８外に突出して、ヘッドボックス１２の外部から操作可能である。
【００２７】
回転筒３０と駆動筒３２との間にはスライダー３４が配設される。スライダー３４は、その外周面の周方向に離間した２箇所の位置において、軸方向に貫通する被案内部３４ａが凹状に形成されており、回転筒３０の案内部３０ｂとそれぞれ係合する。これにより、スライダー３４は回転筒３０に対して相対回転不能であるが、案内部３０ｂに案内されて軸方向には移動可能に係合される。また、スライダー３４の内周面には雌ネジ３４ｂが形成されており、駆動筒３２の雄ネジ３２ａと螺合している。これにより、スライダー３４は、回転筒３０及び駆動筒３２の相対回転により、回転筒３０及び駆動筒３２の軸方向に移動するようになっている。さらに、係合歯３２ｂと対向するスライダー３４の面には、軸方向に係合凸部３４ｃが形成されており、スライダー３４が駆動筒３２を係合歯３２ｂ側端部まで移動した際に係合凸部３４ｃと突部３２ｃが係合して、スライダー３４のそれ以上の移動が規制される（図５参照）。
【００２８】
図６ないし図９に示すように、駆動筒３２の係合歯３２ｂの下方には切替部材５２が配設されており、駆動筒３２は、切替部材５２により回転可能な状態と回転が規制される状態とに切替えられる。切替部材５２は、駆動筒３２の係合歯３２ｂと係合して駆動筒３２の回転を規制する係合位置と、係合歯３２ｂとの係合を解除可能で駆動筒３２を回転駆動可能な状態にする非係合位置との間で切替移動操作可能である。より詳細には、切替部材５２は係合歯３２ｂとラチェット式に係合するストッパ５４とストッパ５４を操作する切替操作部５６とからなり、さらに切替操作部５６は、ストッパ５４を係合歯３２ｂと係合する係合位置と係合歯３２ｂとの係合を解除可能な非係合位置との間で移動させる第１切替操作部５８と、ストッパ５４を係合歯３２ｂから完全に離間した状態とする完全開放位置へと移動させる第２切替操作部６０とからなる。
【００２９】
切替部材５２は、ケース３８の底部３８ａにケース３８の内外に跨って配設される。ケース３８の底部３８ａには、下方に突出する方形の枠３８ｂが形成されており、枠３８ｂ内の底部３８ａには、後述する第１切替操作部５８の一対の規制部５８ａが摺動可能に挿通する一対の第１摺動穴３８ｃと、後述する第２切替操作部６０の押圧部６０ａが摺動可能に挿通する第２摺動穴３８ｄがそれぞれ形成されている。また、枠３８ｂの図６（ｂ）中上下に位置する部分には、前後方向に間隔をあけたそれぞれ２か所に第１係合凸部３８ｅと第２係合凸部３８ｆとが形成される。
【００３０】
ストッパ５４は、ケース３８内に配設され、ケース３８の底部３８ａに沿って前後方向に摺動可能であり、ばね６２により常時係合位置方向に付勢されている。ストッパ５４のばね６２に当接する側と反対側の端部には、切欠き５４ｂが形成されており、この切欠き５４ｂはケース３８の第２摺動穴３８ｄに対応するように位置づけられる。さらに、ストッパ５４の両側部にはそれぞれ凹部５４ａ、５４ａが形成されており、この凹部５４ａ、５４ａはケース３８の第１摺動穴３８ｃに対応するように位置づけられる。
【００３１】
第１切替操作部５８は、ケース３８の一対の第１摺動穴３８ｃを前後方向に摺動可能に挿通し、ケース３８内を上方に向かって延びる一対の規制部５８ａと、ケース３８の枠３８ｂ内に前後方向に摺動操作可能に配設され、ヘッドレール１２外から操作可能な第１外部操作部５８ｂとからなる。
【００３２】
第１外部操作部５８ｂの両側部にはそれぞれ係合凹部５８ｃ、５８ｃが形成されており、各係合凹部５８ｃは、第１係合凸部３８ｅと第２係合凸部３８ｆとそれぞれ係合可能である。係合凹部５８ｃが第１係合凸部３８ｅまたは第２係合凸部３８ｆと係合することにより、第１切替操作部５８が不用意に摺動することを防止することができると共に、係合時のクリック感により第１切替操作部５８が確実に操作されたことを確認することができる。
【００３３】
一対の規制部５８ａは、ケース３８の第１摺動穴３８ｃを挿通して、ストッパ５４の凹部５４ａ内に挿入される。図６（ｂ）及び（ｃ）に示すように、規制部５８ａが凹部５４ａの一端部に当接し、係合凹部５８ｃが第１係合凸部３８ｅに係合している状態で係合位置となり、図７（ｂ）及び（ｃ）に示すように、規制部５８ａが凹部５４ａの他端部に当接し、係合凹部５８ｃが第２係合凸部３８ｆに係合している状態で非係合位置となる。
【００３４】
また、第２切替操作部６０は、ケース３８の第２摺動穴３８ｄを摺動可能に挿通し、ケース３８内を上方に向かって延びる押圧部６０ａと、ケース３８の枠３８ｂ内に前後方向に摺動操作可能に配設され、ヘッドレール１２外から操作可能な第２外部操作部６０ｂとからなる。
【００３５】
押圧部６０ａはストッパ５４の切欠き５４ｂ内にも挿入されており、切欠き５４ｂ内を前後方向に移動可能である。第２切替操作部６０は、ばね６２の付勢力に抗して押圧部６０ａでストッパ５４を押圧可能であり、図９（ａ）〜（ｃ）に示すように、ケース３８の一方の壁部３８ｇに当接するまでストッパ５４を移動させた状態が完全開放位置となる。
【００３６】
次に、図６ないし図９に基づいて、切替部材５２の下記４つの状態における切替部材５２の各部材と係合歯３２ｂとの状態について詳細説明する。
【００３７】
図６（ａ）〜（ｃ）は、切替部材５２が係合位置にある状態を示し、この状態では、第１切替操作部５８は、係合凹部５８ｃが枠３８ｂの第１係合凸部３８ｅと係合していると共に、規制部５８ａがストッパ５４の凹部５４ａの一端部に当接している。規制部５８ａによりストッパ５４の図６（ａ）、（ｃ）中左方向への移動が規制されているため、ストッパ５４は係合歯３２ｂと係合した状態を保持し、係合歯３２ｂの回転が規制される。ストッパ５４はばね６２により図６（ａ）、（ｃ）中右方向へ付勢され、第２切替操作部６０の押圧部６０ａに当接しており、第２切替操作部６０はケース３８の枠３８ｂに当接している。
【００３８】
図７（ａ）〜（ｃ）は、切替部材５２が非係合位置にある状態を示し、この状態では、第１切替操作部５８は、係合凹部５８ｃが枠３８ｂの第２係合凸部３８ｆと係合していると共に、規制部５８ａがストッパ５４の凹部５４ａの他端部に当接している。ストッパ５４と係合歯３２ｂとの係合が解除可能であり、ストッパ５４の図７（ａ）、（ｃ）中左方向への移動が可能な状態となっている。ストッパ５４は、ばね６２の付勢力により図７（ａ）、（ｃ）中右方向へ押圧されて第２切替操作部６０の押圧部６０ａに当接しており、第２切替操作部６０はケース３８の枠３８ｂに当接している。
【００３９】
図８（ａ）〜（ｃ）は、切替部材５２が非係合位置にある状態において、操作ダイヤル５０を操作する様子を示す。操作ダイヤル５０を図８（ａ）中時計回りに回転させることにより、操作ダイヤル５０と共に係合歯３２ｂが図８（ａ）中時計回りに回転し、ストッパ５４を図８（ａ）中左方向へ押圧する。これにより、ストッパ５４はばね６２の付勢力に抗して図８中左方向に移動するため、係合歯３２ｂはストッパ５４を乗り越えて回転する。このとき、ストッパ５４は、第１切替操作部５８の規制部５８ａと第２切替操作部６０の押圧部６０ａとによって規制される範囲を往復動可能である。このため、ストッパ５４は、係合歯３２ｂに押圧されて図８（ａ）中二点鎖線で示すように左方向に摺動した後、係合歯３２ｂがストッパ５４を乗り越えて回転し、係合歯３２ｂからの押圧力がなくなると、ばね６２の付勢力により図８（ａ）中実線で示すように右方向に摺動し、第２切替操作部６０の押圧部６０ａに当接して停止するという動作を、操作ダイヤル５０を操作している間繰り返す。ただし、ストッパ５４は係合歯３２ｂの反時計回りの回転に対しては、係合歯３２ｂから図８（ａ）中右方向へ押圧され図６に示す位置まで移動するため、係合歯３２ｂと係合する状態となり、係合歯３２ｂの回転を規制する。
【００４０】
図９（ａ）〜（ｃ）は、切替部材５２が完全開放位置にある状態を示し、この状態では、第１切替操作部５８は非係合位置にあり、第２切替操作部６０はその押圧部６０ａがケース３８の第２摺動穴３８ｄの先端に当接する位置にある。そして、ストッパ５４はばね６２の付勢力に抗して第２切替操作部６０の押圧部６０ａに押圧されてケース３８の壁部３８ｇに当接している。このような状態では、ストッパ５４は係合歯３２ｂから完全に離隔するため、係合歯３２ｂは、図９（ａ）中時計回り及び反時計回りの両方向に回転自在となる。
【００４１】
次に、本実施形態による昇降高さ決定装置２８の作用について説明する。
【００４２】
スクリーン２０を昇降させる場合、操作コード２６を操作し、回転軸１４を回転駆動させる。これにより、巻取ドラム１６が回転軸１４と一体に回転するため、昇降コード１８が巻取ドラム１６に巻取り又は巻解かれてスクリーン２０が上昇又は下降する。このとき、昇降高さ決定装置２８において、図４に示すようにスライダー３４が回転筒３０及び駆動筒３２の軸方向途中位置に位置していたとすると、回転筒３０が回転軸１４と一体に回転し、スライダー３４も回転筒３０と一体に回転する一方で、切替部材５２が図６に示すように係合位置にあるため、駆動筒３２は回転が規制され、回転筒３０は駆動筒３２に対して相対回転する。これにより、スライダー３４は、駆動筒３２の雄ネジ３２ａに案内されて、回転筒３０及び駆動筒３２の軸方向に移動する。
【００４３】
スクリーン２０が下降して、図５に示すように、スライダー３４が突部３２ｃに接近する方向へと移動し、係合凸部３４ｃが突部３２ｃに係合すると、スライダー３４のそれ以上の移動が規制されるため、回転筒３０の回転が規制される。これにより、回転軸１４及び巻取ドラム１６の回転が規制されてスクリーン２０の下降が規制される。このようにスクリーン２０の下降が規制された位置が、スクリーン２０の下限位置となり、スクリーン２０はそれ以上下降することができなくなる。このとき、突部３２ｃを介して駆動筒３２にスクリーン２０からの自重が作用するが、ストッパ５４が係合歯３２ｂと係合しているために、駆動筒３２の回転は防止され、下限位置が保持される。
【００４４】
この回転軸１４の回転の規制は、スライダー３４の係合凸部３４ｃが係合歯３２ｂの突部３２ｃに係合するだけで行われているので、操作コード２６を反対方向に操作し、回転軸１４を反対方向に回転駆動させると、回転筒３０が上記とは反対方向に回転するため、スライダー３４は、係合凸部３４ｃが突部３２ｃから離反する方向に移動し、スクリーン２０は上昇する。
【００４５】
スクリーン２０の下限位置を現在の設定位置よりも高くする場合には、第１切替操作部５８の第１外部操作部５８ｂを図６に示す係合位置から図７に示す非係合位置まで摺動させると、係合歯３２ｂとストッパ５４との係合が解除可能となり係合歯３２ｂが回転可能な状態となる。この状態で操作ダイヤル５０を回転操作することにより、前述のように係合歯３２ｂがストッパ５４を乗り越えて回転し、駆動筒３２が回転する。このとき、駆動筒３２の回転力がスライダー３４にも伝達されるが、回転軸１４及び回転筒３０は、スクリーン２０からの自重によって回転駆動が規制され、したがって、駆動筒３２が回転筒３０に対して相対回転し、スライダー３４は、その被案内部３４ａが回転筒３０の案内部３０ｂに案内されて駆動筒３２の軸方向に移動する。
【００４６】
このようにして、スライダー３４を突部３２ｃに接近させるように移動させると、スクリーン２０の下限位置を現在の設定位置よりも高く調整することができる。
【００４７】
操作ダイヤル５０を回転操作することで直接駆動筒３２を回転させて調整するので、操作量に対する操作筒３２の回転量を大きくできるため、調整を迅速に行うことができる。また、操作時に、クラッチバネといったバネの反発力に抗して操作する必要がないので、操作荷重を軽減することができる。
【００４８】
また、係合歯３２ｂの歯数分だけ切替えの段階を設けることができるので、高さ位置を段階的に調整することができる。また、例えば、ブラインドを連装にした場合、隣り合うブラインドの係合歯の位置を合わせるだけで、互いの昇降高さを簡単に合わせることができる。さらには、係合歯３２ｂとストッパ５４との係合にラチェット方式を採用することにより、操作ダイヤル５０の一回転方向への操作感に優れ、クリック音によって操作量が把握し易くなる。また、下限位置の調整中に、駆動筒３２がスクリーン２０の自重によって意図せずに回転することを防ぐことができる。
【００４９】
他の下限位置の設定方法としては、操作コード２６を操作してスクリーン２０を下限位置として新たに設定したい位置まで上昇させて、その位置で回転規制装置２７を作動させてスクリーンの上昇を停止させる。そして、第１切替操作部５８の第１外部操作部５８を図６に示す係合位置から図７に示す非係合位置まで摺動させて、操作ダイヤル５０を回転操作して、スライダー３４の係合凸部３４ｃが駆動筒３２の突部３２ｃに係合する方向に移動させ、両者が係合したら操作ダイヤル５０の回転操作を止めると、下限位置の設定を完了させることができる。
【００５０】
スクリーン２０の下限位置の設定を高くし過ぎた場合、または、下限位置の設定位置を現在の設定位置よりも低くしたい場合には、図６または図７に示すように第２切替操作部６０がケース３８の枠３８ｂに当接している状態から、第２外部操作部６０ｂを図９中左方向に摺動させる。このとき、第２外部操作部６０ｂが第１切替操作部５８の第１外部操作部５８を押圧し、第２切替操作部６０の押圧部６０ｂがストッパ５４を押圧するため、第１切替操作部５８及びストッパ５４も第２切替操作部６０と共に図９中左方向に摺動し、ストッパ５４が壁部３８ｇに当接し、完全開放位置に移動する。これにより、ストッパ５４は係合歯３２ｂから離隔するため、係合歯３２ｂは回転自在な状態となり、スクリーン２０の自重により巻取ドラム１６から昇降コード１８が巻解かれ、回転軸１４が回転する。この回転により回転筒３０が回転しスライダー３４の係合凸部３４ｃが駆動筒３２の突部３２ｃに係合した状態になっても、スライダー３４の係合凸部３４ｃから駆動筒３２の突部３２ｃに回転が伝達され、駆動筒３２が回転筒３０及びスライダー３４と共に回転し、現在設定している下限位置を超えてスクリーン２０がさらに下降することができ、下限位置の設定のリセットをすることができるので、再び、完全開放位置から図７に示したように非係合位置に戻して、下限位置の設定を行えばよい。
【００５１】
仮に、一つの切替操作部で下限位置の調整とリセットとを行うことを想定すると、一つの操作でストッパを係合歯から完全に離隔する構成か、一つの操作部で下限位置の調整とリセットの２つの操作を行う構成にすることが考えられるが、下限位置の調整をしようとするときに操作ミスなどによりリセットしてしまう場合があるので、手で抑えて操作しなければならない。しかし、上記実施形態においては、第１切替操作部５８によって操作ダイヤル５０の回転を規制する状態と許容する状態とに切替えて下限位置の調整を行い、第２切替操作部６０によって下限位置の調整をリセットするというように、下限位置の調整を行う切替操作部と、下限位置の調整をリセットする切替操作部とを分けたため、操作ミスを防ぐことができる。
【００５２】
なお、以上の実施形態においては、昇降高さ決定装置２８において、スクリーン２０の下限位置を決定したが、これに限定されるものではなく、スクリーン２０の上限位置を決定することでもよい。
【００５３】
また、以上の実施形態において、スクリーン２０が設定位置に近づくに従ってスライダー３４が係合歯３２ｂのある駆動筒３２の一端部側方向へと移動するように設定したが、これに限定されるものではなく、スライダー３４が係合歯３２ｂと反対側の回転筒３０の一端３０ａの方向へ移動するようにしてもよい。スライダー３４の移動が規制されるときに、回転筒３０の回転軸１４への支持点に近い部分でスライダー３４が規制されることで、回転筒３０に発生するねじりを低減させることができる。
【００５４】
また、以上の実施形態においては、第２部材としての駆動筒３２に雄ネジ３２ａを、第１部材としての回転筒３０に案内部３０ｂを、スライダー３４の内周に駆動筒３２の雄ネジ３２ａと螺合する雌ネジ３４ｂを、外周に回転筒３０の案内部３０ｂと係合する被案内部３４ａをそれぞれ形成したが、これは一例であり、第１部材と第２部材の構成は任意に構成することができる。例えば、回転筒の内周に雌ネジを、駆動筒の外周に案内部を、スライダーの外周に雄ネジを、また内周に被案内部をそれぞれ形成し、回転筒の雌ネジとスライダーの雄ネジを螺合させると共に、駆動筒の案内部にスライダーの被案内部を係合して、スライダーが駆動筒に対して相対回転不能であるが案内部に案内されて軸方向には移動可能とするようにしてもよく、または、その他の構成とすることもできる。
【００５５】
また、案内部及び被案内部は、スプライン、キー、多角形同士の嵌合等の任意の手段によって構成することができる。
【００５６】
（第２の実施形態）
次に、上記昇降高さ決定装置２８をロールスクリーン７０に適用した例を、図１０及び図１１を参照しつつ説明する。
【００５７】
ロールスクリーン７０は、窓枠等の設定面に固定されるセットフレーム７２に取り付けられる一対の支持プレート７４に対して巻取パイプ７６が回転可能に支持されており、巻取パイプ７６に遮蔽材であるスクリーン７８の一端が巻取り・巻解き可能に吊り下げられている。巻取パイプ７６の一端側の内部には、巻取パイプ７６を常時スクリーンの巻取方向に付勢する巻取スプリング８０と、巻取パイプ７６の回転を減速させるブレーキ８２が設けられている。また、巻取パイプ７６の他端側の内部には前記昇降高さ決定装置２８の回転筒３０、駆動筒３２及びスライダー３４と、巻取パイプ７６を回転駆動可能な状態と回転が規制される状態とに切り替えられる回転規制装置２７と、が配設され、巻取パイプ７６の端部と支持プレート７４との間に、前記昇降高さ決定装置２８の係合歯３２ｂ、切替部材５２及び操作ダイヤル５０がそれぞれ配設される。
【００５８】
スクリーン７８の下端はボトムレール７９に連結されており、ボトムレール７９から操作コード８１が垂下している。操作コード８１を引き下ろすことによりスクリーン７８を下降させることができる。
【００５９】
なお、本実施の形態では、回転筒３０は回転軸１４ではなく巻取パイプ７６と一体回転するように構成されている。また、第１の実施形態と同様の作用を有する部材は同じ符号を付してある。
【００６０】
次に、図１１（ａ）ないし（ｄ）を参照して、ロールスクリーン７０の動作に対する昇降高さ決定装置２８の作用について簡単に説明する。
【００６１】
図１１（ａ）は切替部材５２が係合位置にある状態を示し、この状態において巻取パイプ７６がスクリーン７８を巻取り・巻解くと、巻取パイプ７６は設定した高さ位置で回転が規制され、スクリーン７８は設定した高さ位置で停止する。
【００６２】
図１１（ｂ）は切替部材５２が非係合位置にある状態を示し、係合歯３２ｂは時計回りの回転は許容されるが、反時計回りの回転はストッパ５４によって規制されている。したがって、駆動筒３２は時計回り回転のみが許容された状態となっている。
【００６３】
図１１（ｃ）は、切替部材５２が非係合位置にある状態において、操作ダイヤル５０を操作するときの様子を示し、操作ダイヤル５０を時計回りに回転操作することにより係合歯３２ｂがストッパ５４を乗り越えて時計回りに回転し、駆動筒３２が時計回りに回転する。このとき、回転筒３０は巻取パイプ７６によって対応する方向の回転が規制されているため、駆動筒３２の回転に伴ってスライダー３４が軸方向に移動して、昇降高さ位置の変更が行われる。
【００６４】
図１１（ｄ）は、切替部材５２が完全開放位置にある状態を示し、ストッパ５４と係合歯３２ｂとは完全に離間した状態にあるため、係合歯３２ｂは回転自在な状態となっている。この状態において巻取パイプ７６がスクリーン７８を巻取ると、スライダー３４と駆動筒３２が係合しても、駆動筒３２はスライダー３４と一体に回転することができるため、巻取パイプ７６は設定位置を超えて回転し、設定位置をリセットすることができる。
【符号の説明】
【００６５】
１４  回転軸
１８  昇降コード
２０、７８  スクリーン（遮蔽材）
２８  昇降高さ決定装置
３０  回転筒（第１部材）
３２  駆動筒（第２部材）
３２ｂ  係合歯
３４  スライダー
５０  操作ダイヤル（操作部）
５２  切替部材
５４  ストッパ
５６  切替操作部
５８  第１切替操作部
６０  第２切替操作部
７６  巻取パイプ
【図１】
0005868699.tif 000002
【図２】
0005868699.tif 000003
【図３】
0005868699.tif 000004
【図４】
0005868699.tif 000005
【図５】
0005868699.tif 000006
【図６】
0005868699.tif 000007
【図７】
0005868699.tif 000008
【図８】
0005868699.tif 000009
【図９】
0005868699.tif 000010
【図１０】
0005868699.tif 000011
【図１１】
0005868699.tif 000012